(57)【要約】【課題】ユーザが能動的に操作することなく、自動的に子画面の表示を変更することができる表示装置を提供する。【解決手段】子画面に画像を表示するための映像信号を形成する子画面処理手段と、親画面処理手段からの映像信号と前記子画面処理手段からの映像信号とを合成するようにして、前記親画面と前記子画面とからなる画面の画像を表示できるようにする合成手段と、前記親画面に関り外部から操作されるカーソルと、前記表示部の表示画面上の前記カーソルの位置を検出する座標検出手段と、前記表示部の前記親画面の表示画面に操作すべき部位が存在する場合であって、前記座標検出手段により、前記子画面の表示位置上に前記部位が存在することが検出された場合に、前記子画面の表示方法を変更する表示変更手段とを備えることを特徴とする表示装置。【選択図】  図４
2011096084.tif 000002
【特許請求の範囲】
【請求項１】
画像を表示する表示部を備え、この表示部の表示画面の一部の領域を子画面とし、前記子画面と、前記子画面以外の領域の親画面とに、それぞれ独立に画像を表示できるようにする表示装置であって、
前記表示部に表示可能な画像を形成する画像情報の複数の入力路と、
前記複数の入力路の１つを通じて供給される画像情報に基づいて、前記表示部の表示画面の全面に画像を表示するための映像信号を形成する親画面処理手段と、
前記複数の入力路の１つを通じて供給される画像情報に基づいて、前記子画面に画像を表示するための映像信号を形成する子画面処理手段と、
前記親画面処理手段からの映像信号と前記子画面処理手段からの映像信号とを合成するようにして、前記親画面と前記子画面とからなる画面の画像を表示できるようにする合成手段と、
前記親画面に関り外部から操作されるカーソルと、
前記表示部の表示画面上の前記カーソルの位置を検出する座標検出手段と、
前記表示部の前記親画面の表示画面に操作すべき部位が存在する場合であって、前記座標検出手段により、前記子画面の表示位置上に前記部位が存在することが検出された場合に、前記子画面の表示方法を変更する表示変更手段とを
備えることを特徴とする表示装置。
【請求項２】
前記表示方法の変更は、前記子画面を一時的に消すことであることを特徴とする請求項１に記載の表示装置。
【請求項３】
前記表示方法の変更は、前記子画面の表示位置を変更することであることを特徴とする請求項１に記載の表示装置。
【請求項４】
前記表示方法の変更は、前記子画面を透過表示にすることであることを特徴とする請求項１に記載の表示装置。
【請求項５】
前記表示方法の変更は、前記カーソルの周辺の前記子画面の部分を一時的に消すことであることを特徴とする請求項１に記載の表示装置。
【発明の詳細な説明】
【技術分野】
【０００１】
本発明は、カーソル検出による子画面表示の切り替えが可能な表示装置に関する。
【背景技術】
【０００２】
親画面、子画面からなる表示装置が用いられてきており、この場合は親画面に関る操作を行なうときに子画面の表示による制約が生ずる場合がある。関連して特許文献１には、親画面に表示される情報や親画面に設けられる入力欄を利用不能にすることなく、子画面にも画像を表示して利用できるようにした表示装置および表示方法なるものが記載されている。
【０００３】
しかしながらこの先行技術では、表示装置にタッチパネルを組み込んでいる。このタッチパネルは子画面の表示方法を変更するためのもので、それを操作することにより子画面の位置等を変更する。即ち、特別なインターフェースを必要とせずとも親画面に関る操作を行なえるようにする技術は開示されていない。
【先行技術文献】
【特許文献】
【０００４】
【特許文献１】特開２００５−２６０２８９号公報
【発明の概要】
【発明が解決しようとする課題】
【０００５】
本発明は、ユーザが能動的に操作することなく、自動的に子画面の表示を変更することができる表示装置を提供することを目的とする。
【課題を解決するための手段】
【０００６】
上記課題を解決するために、本発明の表示装置は、画像を表示する表示部を備え、この表示部の表示画面の一部の領域を子画面とし、前記子画面と、前記子画面以外の領域の親画面とに、それぞれ独立に画像を表示できるようにする表示装置であって、前記表示部に表示可能な画像を形成する画像情報の複数の入力路と、前記複数の入力路の１つを通じて供給される画像情報に基づいて、前記表示部の表示画面の全面に画像を表示するための映像信号を形成する親画面処理手段と、前記複数の入力路の１つを通じて供給される画像情報に基づいて、前記子画面に画像を表示するための映像信号を形成する子画面処理手段と、前記親画面処理手段からの映像信号と前記子画面処理手段からの映像信号とを合成するようにして、前記親画面と前記子画面とからなる画面の画像を表示できるようにする合成手段と、前記親画面に関り外部から操作されるカーソルと、前記表示部の表示画面上の前記カーソルの位置を検出する座標検出手段と、前記表示部の前記親画面の表示画面に操作すべき部位が存在する場合であって、前記座標検出手段により、前記子画面の表示位置上に前記部位が存在することが検出された場合に、前記子画面の表示方法を変更する表示変更手段とを備えることを特徴とする。
【発明の効果】
【０００７】
本発明によれば、ユーザが能動的に操作することなく、自動的に子画面の表示を変更することができる表示装置が得られる。
【図面の簡単な説明】
【０００８】
【図１】本発明の一実施形態に係わる表示装置システムを示す概略図。
【図２】同実施形態の表示装置のシステム構成例を示すブロック図。
【図３】同実施形態の子画面表示の態様を説明するために示す図。
【図４】同実施形態の処理を示すフローチャート。
【図５】同実施形態に用いられるオーバーレイ表示例を示す図。
【図６】同実施形態の子画面の位置にカーソルがきたら子画面を一時的に消す様子を示す図。
【図７】同実施形態の子画面の位置にカーソルがきたら子画面の表示位置を（一時的）に変更する様子を示す図。
【図８】同実施形態の子画面の位置にカーソルがきたら子画面を透過表示にする様子を示す図。
【図９】同実施形態の子画面の位置にカーソルがきたらカーソルの周辺のみ親画面を表示する様子を示す図。
【発明を実施するための形態】
【０００９】
以下、本発明による実施形態を図１乃至図９を参照して説明する。
まず、図１および図２を参照して、本発明の一実施形態に係る表示装置の構成を説明する。本実施形態の表示装置は、例えば図１に示すようにデスクトップタイプのパーソナルコンピュータ本体３にケーブル６１で接続される表示装置１として実現される。
【００１０】
この図１のシステムは、例えば、アンテナから地上デジタル放送波を受信し復調して表示、または外部入力から映像信号を受信して表示する電子機器である表示装置１と、ＤＶＤ等のメディアを再生するＤＶＤプレーヤも有するパーソナルコンピュータ本体３と、ＢＳ（Broadcast Satellite）やＣＳ（Communication Satellite）等の衛星放送を受信して復調するチューナとしてのセットトップボックス４と、放送および外部入力からの映像信号を記録し、記録したコンテンツを外部に出力可能なＨＤＤ（Hard Disc Drive）レコーダ５とを有し、それぞれを図示するようにケーブル６１，６２，６３で接続することで構成される。リモコン１Ｂは、表示装置１を操作する専用リモコンである。
【００１１】
次に、図２を参照して、上記表示装置１のシステム構成例について説明する。
本表示装置１は、図２に示されているように、DVI信号を受信するTMDSレシーバ２０、HDMI信号を受信するTMDSレシーバ２１、アナログRGB信号を受信するA/Dコンバータ２２、ビデオ信号を受信するA/Dコンバータ２３、RF（TV信号）を受信するTVチューナ（A/Dコンバータ、復号回路等）２４、フレームメモリ２５、メモリ＆コントロール回路２６、マイコン２７、操作部／LED２８、表示補正回路２９、表示部（液晶パネル等）３０等を備えている。
【００１２】
上記２０〜２４へ入力される各入力信号は（TMDSレシーバ、A/Dコンバータ等で）変換され、メモリ＆コントロール回路２６に保存される。
このメモリ＆コントロール回路２６に保存されている親画面のデータから、後述のようにパターン認識によってカーソル検出を行う。また、メモリ＆コントロール回路２６は実際に表示する画面を（親画面と子画面を）フレームメモリ２５上に合成する。
【００１３】
フレームメモリ２５上で親画面の上に子画面が上書きされ、それが表示補正回路２９を通して表示部３０に表示される。
（表示装置の機能）
さて、上記のような構成の表示装置は以下の機能を具備する。
１  複数の映像ソースの入力を受け付ける機能
本機能は一般的なもので、映像ソースとしてはTV入力、ビデオ入力（コンポジット、S端子）、HDMI、DVI、Analog RGB、DisplayPort等が挙げられる。
【００１４】
２  複数の映像ソースの内一方を全画面表示し、その他を親画面の一部にオーバーレイ表示する機能
本機能は一般的にPinP(Picture in Picture)と呼ばれるもので、全画面表示されたものを親画面、親画面の一部にオーバーレイ表示されたものを子画面と呼ぶ。
【００１５】
３  親画面中の操作用カーソルをパターン認識により検出する機能
本機能が本発明のための機能である。表示装置は一般的に中にメモリを持っており、その中で表示する画面を保持している。表示上はオーバーレイ表示がされている場合でも、元の表示内容を保持している。パターン認識はメモリ上の表示内容に対して行うため、オーバーレイの表示に左右されない。
【００１６】
パターン認識は以下のような登録プログラムによって予め登録する。
(1)操作用カーソルより若干大きい程度の領域（親画面の一部で可）を単一色で塗りつぶし、登録用領域として用意する。
(2)操作用カーソルを当該領域に持って行き、登録操作を行う。登録操作自体は表示装置のボタン操作等でも構わないし、接続されているPCからの操作でも構わない。
【００１７】
(3)登録操作がされたら表示装置は登録用領域をチェックする。周辺の単一色の領域は背景色とし、それ以外の部分をカーソルの形状として登録する。カーソルはユーザの操作によって形状を変更する事があるため、複数のカーソルを登録することも可能とする。
【００１８】
(4)登録完了後は、親画面の表示内容が保存されているメモリからパターン認識によってカーソルの位置を検出する。この検出は子画面の表示位置と重なる親画面の表示領域内で構わない。
【００１９】
４  操作用カーソルの位置と子画面の位置が重なるときに、子画面の表示方法を変更する機能
前記機能３にて親画面の子画面の表示位置と重なる表示領域内で操作用カーソルが検出された場合、子画面の表示方法を変更する。変更方法はいくつかあり、ユーザによって予め設定しておくことができる。
【００２０】
(1)子画面の表示を一時的に消す
子画面の表示位置に操作用カーソルがある間は子画面の表示を消す。
(2)子画面の表示位置を変更する
子画面の表示位置に操作用カーソルがある間は子画面の表示位置を別の場所に変更する。
元の子画面の表示位置外に操作用カーソルが移動した場合、子画面の表示位置を元の場所に戻しても構わないし、新しい位置のままでも構わない。これもユーザによって指定が可能である。
【００２１】
ユーザが親画面に表示されているウィンドウの右上にある終了ボタンを押す、という程度の場合、必ずしも子画面の表示位置内にある親画面の表示内容を全て表示させる必要はない。以下の方法によって親画面の表示内容の一部のみを表示することもユーザの利便性にかなっている。
【００２２】
(3)子画面の表示を透過表示にする
子画面の表示位置内の親画面の表示内容からカーソルが検出された場合、子画面のオーバーレイを1ドットおきに表示する等の透過表示によって、ユーザに親画面の情報が分かるようにする。
【００２３】
(4)操作用カーソルの周辺のみオーバーレイ表示をなくす
子画面の表示位置内の親画面の表示内容からカーソルが検出された場合、カーソルの周辺部のみ親画面の表示をする。それ以外の部分は子画面の表示とする。
また、(3)と(4)の組み合わせ等も可能である。
図３は、実施形態の子画面表示の態様を説明するために示す図である。
表示装置３０において、親画面の中に子画面の他に、操作用カーソル３１、親画面上の表示物（Windows（Ｒ）等のウィンドウ、右上にCloseボタン等）３２といった要素が在る。
【００２４】
ここで操作用カーソル３１を検出して、子画面の表示を切り替えることにより、ユーザが特別な操作をすることなく親画面（上の表示物）を視認することができるように処理する。
【００２５】
図４は、実施形態のマイコン２７等に関連する処理を示すフローチャートである。
まず表示装置は、カーソルを含む親画面を表示する（ステップＳ１０）。子画面を表示する状態になるのを待つ（ステップＳ２０）。次に親画面のカーソルを検出する（ステップＳ３０）。カーソルの位置が子画面と一致する状態になるのを待つ（ステップＳ４０）。子画面の表示を変更する（ステップＳ５０）。カーソルの位置が子画面から移動するのを待つ（ステップＳ６０）。子画面の表示を元に戻す（ステップＳ７０）。
【００２６】
図５は、実施形態に用いられるオーバーレイ表示例を示す図である。上記のステップＳ４０の状態である。
図６は、子画面の位置にカーソルがきたら子画面を一時的に消す様子を示す図である。
図７は、同実施形態の子画面の位置にカーソルがきたら子画面の表示位置を（一時的）に変更する様子を示す図である。
図８は、同実施形態の子画面の位置にカーソルがきたら子画面を透過表示にする様子を示す図である。
図９は、同実施形態の子画面の位置にカーソルがきたらカーソルの周辺のみ親画面を表示する様子を示す図である。
以上、実施形態の要旨としてPinP表示できる表示装置において、親画面の操作カーソルを検出することにより、ユーザの操作ポイントを判断する。それによって、ユーザの操作ポイントが子画面によって上書きされないようにする。
【００２７】
（主なポイント）
複数系統の入力が可能で、かつ親画面中に子画面を上書き表示（PinP）可能な表示装置において
１．親画面中の操作用カーソルをパターン認識によって検出し、ユーザの操作ポイントを判断する
２．１によって判断したユーザポイントが子画面と重なる場合に、子画面の表示位置を変更する
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００２８】
１…表示装置、１Ｂ…リモコン、３…デスクトップコンピュータ本体、６１…ケーブル、６２…ＤＶＩケーブル、６３…ＨＤＭＩケーブル、２０…TMDSレシーバ、２１…TMDSレシーバ、２２…A/Dコンバータ、２３…A/Dコンバータ、２４…TVチューナ、２５…フレームメモリ、２６…メモリ＆コントロール回路、２７…マイコン、２８…操作部／LED、２９…表示補正回路、３０…表示部。
【図１】
2011096084.tif 000003
【図２】
2011096084.tif 000004
【図３】
2011096084.tif 000005
【図４】
2011096084.tif 000006
【図５】
2011096084.tif 000007
【図６】
2011096084.tif 000008
【図７】
2011096084.tif 000009
【図８】
2011096084.tif 000010
【図９】
2011096084.tif 000011